(57)【要約】【課題】記憶媒体に記憶されたディジタルテレビジョン放送信号のＴＳを再生するディジタルテレビジョン放送信号再生装置において、複数のテレビ番組を含むＴＳを再生早送り又は再生早戻しする際、これら複数のテレビ番組について、ユーザが視聴したい箇所を見逃す蓋然性を低くする。【解決手段】ＴＳに含まれる映像信号を再生早送り又は再生早戻しする際、再生早送り又は再生早戻しされるＴＳに複数のテレビ番組が含まれる場合に、１つのテレビ番組の映像信号を親画面５１とし、このテレビ番組以外の映像信号を、その画像サイズを圧縮して、親画面５１の一部分に子画面５２，５３として合成し、これら複数のテレビ番組を所定倍速で同時にモニタ画面２０に出力することにより、ユーザがこれらのテレビ番組を同時に確認することができるようにする。【選択図】  図３
2005348075.tif 000002
【特許請求の範囲】
【請求項１】
テレビ番組を含むディジタル放送信号を受信する受信手段と、
前記受信手段により受信したディジタル放送信号を復調して、ＴＳ（Transport  Stream）を抽出するＴＳ抽出手段と、
前記ＴＳ抽出手段により抽出されたＴＳを記憶するＴＳ記憶手段と、
前記ＴＳ記憶手段に記憶されたＴＳに所定処理を施して、前記テレビ番組の映像信号を復号化する映像デコーダと、
前記映像デコーダにより復号化された複数の映像信号について、１つのテレビ番組の映像信号を親画面とし、このテレビ番組以外の映像信号を、その画像サイズを圧縮して、前記親画面の一部分に子画面として合成する映像合成手段と、
前記映像デコーダにより復号化された映像信号、又は前記映像合成手段により合成された映像信号を出力する映像出力手段と、
前記ＴＳ記憶手段に記憶されたＴＳに含まれるＴＳパケットのパケット識別子を参照することにより、所定のパケット識別子を有するＴＳパケットのみを前記映像デコーダにより復号化させ、前記映像出力手段により出力させる制御手段と、
を備えたディジタルテレビジョン放送信号再生装置において、
前記制御手段は、ユーザにより再生早送り又は再生早戻し操作がされ、前記ＴＳ記憶手段に記憶されたＴＳを再生早送り又は再生早戻しさせる際、ＴＳパケットのパケット識別子を参照することにより、該再生早送り又は再生早戻しされるＴＳに複数のテレビ番組が含まれるか否か判断し、該ＴＳに複数のテレビ番組が含まれる場合に、
前記映像デコーダに、それぞれのテレビ番組について映像信号を復号化させ、これら復号化された映像信号を所定フレーム毎に前記映像合成手段に出力させ、
前記映像合成手段に、前記映像デコーダから入力された、それぞれのテレビ番組の映像信号を前記親画面及び子画面として合成させ、
前記映像出力手段に、前記映像合成手段により合成された、前記親画面及び子画面を出力させることにより、前記ＴＳに含まれる複数のテレビ番組を、所定倍速で同時に再生早送り又は再生早戻しさせることを特徴とするディジタルテレビジョン放送信号再生装置。
【請求項２】
ＴＳ記憶手段に記憶されたディジタルテレビジョン放送信号のＴＳを再生するディジタルテレビジョン放送信号再生装置において、
前記ＴＳに含まれる映像信号を再生早送り又は再生早戻しする際、該再生早送り又は再生早戻しされるＴＳに複数のテレビ番組が含まれる場合に、
前記複数のテレビ番組の映像信号を、複数の表示領域に分けて１画面として合成し、これら複数のテレビ番組を、所定倍速で同時に再生早送り又は再生早戻しすることを特徴とするディジタルテレビジョン放送信号再生装置。
【請求項３】
前記複数のテレビ番組の映像信号を合成する際に、１つのテレビ番組の映像信号を親画面とし、このテレビ番組以外の映像信号を、その画像サイズを圧縮して、前記親画面の一部分に子画面として合成することを特徴とする請求項２に記載のディジタルテレビジョン放送信号再生装置。
【発明の詳細な説明】
【技術分野】
【０００１】
本発明はディジタルテレビジョン放送信号を再生するディジタルテレビジョン放送信号再生装置に関する。
【背景技術】
【０００２】
近年、ディジタルテレビジョン（ＴＶ）放送が実用化されている。ディジタルＴＶ放送では、複数のテレビ番組の映像や音声をディジタル圧縮技術により圧縮符号化した後、時分割多重化し、その信号を所定周波数帯域の高周波電波に変調してＴＶ放送信号として配信している。なお、ディジタルＴＶ放送では、複数のテレビ番組の放送信号を多重化した所定周波数帯域のＴＶ放送信号を物理チャンネルと呼び、その周波数帯域に多重化される個々のテレビ番組の放送信号をサブチャンネルと呼んでいる。
【０００３】
一方、ディジタルＴＶ放送を受信するディジタルＴＶ放送信号再生装置は、ユーザがリモコン等により視聴したい番組のチャンネル（すなわち物理チャンネルとサブチャンネル）を選択すると、その物理チャンネルに対応する周波数帯域の高周波電波を受信し、その受信信号を復調することにより、圧縮符号化された複数のテレビ番組の映像や音声等の信号が時分割多重化された状態の信号を得ることができる。この信号はＴＳ（Transport  Stream）と呼ばれ、このＴＳには、各テレビ番組の映像や音声等の要素信号が納められたＴＳパケットが多重されている。
【０００４】
そして、上記のディジタルＴＶ放送信号再生装置は、このＴＳから各サブチャンネルに対応するテレビ番組の映像信号や音声信号を含むＴＳパケットを分離抽出し、その映像信号や音声信号を圧縮符号化される前の状態に復号化してモニタ装置へ出力する。
【０００５】
ところで、従来から、ハードディスクドライブ（ＨＤＤ）装置等に記憶されたディジタルテレビジョン放送信号を再生する際、早送り又は早戻ししながら再生する、いわゆる再生早送り又は再生早戻し機能を備えたディジタルＴＶ放送信号再生装置が知られている。  また、複数チャンネルの動画像を、同期をとりながら１画面上に表示する装置も知られている（例えば、特許文献１参照）。
【特許文献１】特開２００１−３６８６７号公報
【発明の開示】
【発明が解決しようとする課題】
【０００６】
しかしながら、従来のディジタルＴＶ放送信号再生装置では、複数のサブチャンネルを含むＴＳについて再生早送り又は再生早戻しする際、図７に示されるように、ＴＳに含まれる１つのサブチャンネルのテレビ番組しかモニタ装置２のモニタ画面２０に出力されないため、ユーザは他のサブチャンネルのテレビ番組については、モニタ画面２０で確認しながら再生早送り又は再生早戻しさせることができなかった。このため、再生早送り又は再生早戻し時にモニタ画面２０に表示されないテレビ番組について、ユーザが視聴したい箇所を見逃してしまう蓋然性が高かった。なお、上述した特許文献１に開示の内容を適用したとしても、上記課題を解決することはできない。
【０００７】
本発明は、上記課題を解決するためになされたものであり、複数のテレビ番組を含むＴＳを再生早送り又は再生早戻しする際、これら複数のテレビ番組について、ユーザが視聴したい箇所を見逃す蓋然性を低くすることができるディジタルＴＶ放送信号再生装置を提供することを目的とする。
【課題を解決するための手段】
【０００８】
上記目的を達成するために請求項１の発明は、テレビ番組を含むディジタル放送信号を受信する受信手段と、前記受信手段により受信したディジタル放送信号を復調して、ＴＳ（Transport  Stream）を抽出するＴＳ抽出手段と、前記ＴＳ抽出手段により抽出されたＴＳを記憶するＴＳ記憶手段と、前記ＴＳ記憶手段に記憶されたＴＳに所定処理を施して、前記テレビ番組の映像信号を復号化する映像デコーダと、前記映像デコーダにより復号化された複数の映像信号について、１つのテレビ番組の映像信号を親画面とし、このテレビ番組以外の映像信号を、その画像サイズを圧縮して、前記親画面の一部分に子画面として合成する映像合成手段と、前記映像デコーダにより復号化された映像信号、又は前記映像合成手段により合成された映像信号を出力する映像出力手段と、前記ＴＳ記憶手段に記憶されたＴＳに含まれるＴＳパケットのパケット識別子を参照することにより、所定のパケット識別子を有するＴＳパケットのみを前記映像デコーダにより復号化させ、前記映像出力手段により出力させる制御手段とを備えたディジタルテレビジョン放送信号再生装置において、前記制御手段は、ユーザにより再生早送り又は再生早戻し操作がされ、前記ＴＳ記憶手段に記憶されたＴＳを再生早送り又は再生早戻しさせる際、ＴＳパケットのパケット識別子を参照することにより、該再生早送り又は再生早戻しされるＴＳに複数のテレビ番組が含まれるか否か判断し、該ＴＳに複数のテレビ番組が含まれる場合に、前記映像デコーダに、それぞれのテレビ番組について映像信号を復号化させ、これら復号化された映像信号を所定フレーム毎に前記映像合成手段に出力させ、前記映像合成手段に、前記映像デコーダから入力された、それぞれのテレビ番組の映像信号を前記親画面及び子画面として合成させ、前記映像出力手段に、前記映像合成手段により合成された、前記親画面及び子画面を出力させることにより、前記ＴＳに含まれる複数のテレビ番組を、所定倍速で同時に再生早送り又は再生早戻しさせることを特徴とする。
【０００９】
請求項２の発明は、ＴＳ記憶手段に記憶されたディジタルテレビジョン放送信号のＴＳを再生するディジタルテレビジョン放送信号再生装置において、前記ＴＳに含まれる映像信号を再生早送り又は再生早戻しする際、該再生早送り又は再生早戻しされるＴＳに複数のテレビ番組が含まれる場合に、前記複数のテレビ番組の映像信号を、複数の表示領域に分けて１画面として合成し、これら複数のテレビ番組を、所定倍速で同時に再生早送り又は再生早戻しすることを特徴とする。
【００１０】
請求項３の発明は、請求項２に記載のディジタルテレビジョン放送信号再生装置において、前記複数のテレビ番組の映像信号を合成する際に、１つのテレビ番組の映像信号を親画面とし、このテレビ番組以外の映像信号を、その画像サイズを圧縮して、前記親画面の一部分に子画面として合成することを特徴とする。
【発明の効果】
【００１１】
以上のように請求項１の発明によれば、ディジタルテレビジョン放送信号再生装置は、ＴＳ記憶手段を備えるので、受信したディジタル放送信号からＴＳを抽出して記憶し、記憶したＴＳを再生早送り又は再生早戻しすることができる。そして、ＴＳ記憶手段に記憶されたＴＳを再生早送り又は再生早戻しする際、再生早送り又は再生早戻しされるＴＳに複数のテレビ番組が含まれる場合に、それぞれのテレビ番組について映像信号を復号化して１画面に合成して出力し、これら複数のテレビ番組を所定倍速で同時に再生早送り又は再生早戻しするようにしたので、ユーザはこれら複数のテレビ番組を同時に確認することができる。従って、ユーザがこれらテレビ番組の視聴したい箇所を見逃す蓋然性が低くなる。
【００１２】
また、１つのテレビ番組の映像信号を親画面とし、このテレビ番組以外の映像信号を子画面として合成して出力するようにしたので、ユーザは、親画面として大きく表示されるテレビ番組の映像を容易に確認することができ、特に、親画面として表示されるテレビ番組の視聴したい箇所を見逃し難くなる。
【００１３】
請求項２の発明によれば、再生早送り又は再生早戻しされるＴＳに複数のテレビ番組が含まれる場合に、これら複数のテレビ番組の映像信号を１画面に合成して出力し、これらテレビ番組を所定倍速で同時に再生早送り又は再生早戻しするようにしたので、ユーザはこれら複数のテレビ番組を同時に確認することができる。従って、ユーザがこれらテレビ番組の視聴したい箇所を見逃す蓋然性が低くなる。
【００１４】
請求項３の発明によれば、再生早送り又は再生早戻しされるＴＳに複数のテレビ番組が含まれる場合に、１つのテレビ番組の映像信号を親画面とし、このテレビ番組以外の映像信号を子画面として合成して出力するようにしたので、ユーザは、親画面として大きく表示されるテレビ番組の映像を容易に確認することができ、特に、親画面として表示されるテレビ番組の視聴したい箇所を見逃し難くなる。
【発明を実施するための最良の形態】
【００１５】
本発明の第１の実施形態に係るディジタルテレビジョン（ＴＶ）放送信号再生装置について図１乃至図５を参照して説明する。図１に示されるように、ディジタルＴＶ放送信号再生装置１は、放送局から配信されるディジタルＴＶ放送信号（以下、ＴＶ放送信号と略す）をアンテナ１０を介して受信し、ＴＶ放送信号に含まれる映像信号及び音声信号をモニタ装置２に出力する装置であり、チューナ１１と、ＡＴＳＣフロントエンド１２と、映像・音声処理部１３と、オンスクリーンディスプレイ部（ＯＳＤ）１４と、メモリ１５と、ＩＥＥＥ１３９４インタフェース１６と、制御部（ＣＰＵ）１７を備えている。
【００１６】
ディジタルＴＶ放送信号再生装置１には、放送局から所定周波数の高周波電波で発信されるＴＶ放送信号を受信するためのアンテナ１０と、テレビ番組の映像を映し出すと共に音声を出力するモニタ装置２と、ディジタルＴＶ放送信号再生装置１から入力されたＴＳ（Transport  Stream）をハードディスクドライブ（ＨＤＤ）３１に記憶すると共に、ＨＤＤ３１に記憶されたＴＳをディジタルＴＶ放送信号再生装置１に出力するためのＨＤＤ装置３等が接続される。このように本実施形態では、ＴＳを記憶してＴＳ記憶手段として機能するＨＤＤ３１が、ＨＤＤ装置３として外付けされている。
【００１７】
チューナ（受信手段）１１は、その受信周波数を、ユーザにより選局された物理チャンネルに対応する周波数に同調させることにより、選局された物理チャンネルのＴＶ放送信号をアンテナ１０を介して受信する。
【００１８】
ＡＴＳＣフロントエンド（ＴＳ抽出手段）１２は、チューナ１１で受信したＴＶ放送信号の復調、誤り訂正処理を行い、多重化された信号から必要なＴＳパケットを分離し、ディジタルＴＶ放送信号再生装置１内の各ブロックへそれぞれ必要なＴＳパケットを供給する。
【００１９】
映像・音声処理部１３は、ＡＴＳＣフロントエンド１２から入力される映像信号及び音声信号を含むＴＳパケットをデコードするＭＰＥＧ映像デコーダ（映像デコーダ）及びＭＰＥＧ音声デコーダと、ＭＰＥＧ映像デコーダによりデコードされた複数のテレビ番組の映像信号を合成して親画面及び子画面を生成するＰｉｎＰ回路（映像合成手段）とを備えている。
【００２０】
映像・音声処理部１３で処理された映像信号は、オンスクリーンディスプレイ部１４を介してモニタ装置２に出力され、モニタ画面２０に映像が表示される。また、映像・音声処理部１３で処理された音声信号はモニタ装置２に出力され、スピーカ２１から音声出力される。このように、映像・音声処理部１３は映像出力手段としても機能する。映像・音声処理部１３には、チューナ１１を介して受信した映像信号及び音声信号が入力される他、ＨＤＤ装置３などからＩＥＥＥ１３９４インタフェースを介して映像信号及び音声信号が入力される。
【００２１】
オンスクリーンディスプレイ部１４は、映像・音声処理部１３から入力された映像信号に所定の表示画像を重畳させる。メモリ１５は、ＭＰＥＧデコードされたディジタルＴＶ放送信号を一時的に記憶する他、デコードされたディジタルＴＶ放送信号に重畳させる表示画像を記憶する。ＩＥＥＥ１３９４インタフェース１６は、ディジタルＴＶ放送信号再生装置１とＨＤＤ装置３間で通信を行うことにより、ＴＳの入出力を行う。
【００２２】
制御部１７は、不図示のＲＯＭに記憶されているプログラムに従って各種処理を実行してディジタルＴＶ放送信号再生装置１全体を制御し、ＡＴＳＣフロントエンド１２から入力されたＴＳパケット、及びＨＤＤ装置３から入力されたＴＳパケットのパケット識別子（ＰＩＤ（Packet  ID））を参照することにより、所定のＰＩＤを有するＴＳパケットをＭＰＥＧ映像デコーダにより復号化させ、復号化された映像信号をモニタ装置２に出力させる。
【００２３】
次に、再生早送り又は再生早戻しをする際の処理について、再生早送りをする場合を例に説明する。制御部１７は、ユーザにより再生早送り操作がされ、再生早送り開始信号が入力されると、図２に示される再生早送り処理を開始し、映像・音声処理部１３に入力されるＴＳに複数のテレビ番組が含まれるか否か判断する（Ｓ１）。そして、このＴＳに１つのテレビ番組しか含まれていない場合には（Ｓ１でＮＯ）、このテレビ番組について、ＰＩＤを参照して、映像信号を含むＴＳパケット（すなわち映像ＰＩＤを有するＴＳパケット）の映像信号を復号化し（Ｓ２）、復号化された映像信号を所定フレーム毎にモニタ装置２に出力する（Ｓ３）。このように映像信号を所定フレーム毎にモニタ装置２に出力することにより、モニタ画面２０に表示されるテレビ番組は所定倍速で再生早送りされる。
【００２４】
一方、ＴＳに複数のテレビ番組が含まれる場合には（Ｓ１でＹＥＳ）、各テレビ番組について、映像ＰＩＤを参照して映像信号を含むＴＳパケットを復号化し（Ｓ４）、復号化された映像信号を所定フレーム毎にＰｉｎＰ回路に出力する（Ｓ５）。ＰｉｎＰ回路では、入力された映像信号に基づいてこれら複数のテレビ番組の映像信号を合成するＰｉｎＰ処理が行われる（Ｓ６）。ＰｉｎＰ処理では、１つのテレビ番組の映像信号を親画面とし、このテレビ番組以外の映像信号を、その画像サイズを圧縮して親画面の一部分に子画面として合成する。そして、このようにして合成された複数のテレビ番組の映像信号をモニタ装置２に出力することにより（Ｓ７）、図３に示されるように、モニタ画面２０に複数のテレビ番組を親画面５１及び子画面５２，５３として所定倍速で同時に表示する。制御部１７は、これらＳ１〜Ｓ７の処理を再生早送り終了信号が検出されるまで繰り返し、再生早送り終了信号が検出されると（Ｓ８でＹＥＳ）、再生早送り処理を終了する。
【００２５】
次に、図４及び図５を参照して、上記再生早送り処理をより具体的に説明する。図４は、再生早送りされるＴＳを説明する図であり、横方向に時間軸、縦方向にこのＴＳの帯域が示されている。領域ＡではＳＤＴＶ（Standard  Definition  TV）のテレビ番組Ａが、領域ＢではＳＤＴＶのテレビ番組Ａ、テレビ番組Ｂ及びテレビ番組Ｃが、領域ＣではＳＤＴＶのテレビ番組Ｂ及びテレビ番組Ｃが、領域ＤではＨＤＴＶ（High  Definition  TV）のテレビ番組ＤがＴＳに含まれている。
【００２６】
まず、領域Ａについて、図２を参照しつつ説明する。領域Ａにおいては、ＴＳにはテレビ番組Ａしか含まれていないため、Ｓ１において”ＮＯ”となり、テレビ番組ＡのＴＳパケットのみを復号化して（Ｓ２）、所定フレーム毎に映像信号をモニタ装置２に出力する（Ｓ３）。従って、図５（ａ）に示されるように、モニタ画面２０にはテレビ番組Ａのみが表示されることとなる。
【００２７】
一方、領域Ｂにおいては、ＴＳにはテレビ番組Ａ、テレビ番組Ｂ及びテレビ番組Ｃが含まれるためＳ１において”ＹＥＳ”となり、各テレビ番組Ａ〜ＣのＴＳパケットについて映像信号が復号化され（Ｓ４）、復号化された各テレビ番組Ａ〜Ｃの映像信号が所定フレーム毎にＰｉｎＰ回路に出力され（Ｓ５）、ＰｉｎＰ回路で合成される（Ｓ６）。そして、合成された映像信号がモニタ装置２に出力される（Ｓ７）。従って、モニタ画面２０には、図５（ｂ）に示されるようにテレビ番組Ａが親画面５１として表示され、テレビ番組Ｂ及びテレビ番組Ｃが子画面５２，５３として表示される。以下同様に、領域Ｃにおいては、図５（ｃ）に示されるように、テレビ番組Ｂが親画面５１として表示され、テレビ番組Ｃが子画面５２として表示される。領域Ｄにおいては、図５（ｄ）に示されるようにテレビ番組Ｄのみが表示される。
【００２８】
このように、本実施形態のディジタルＴＶ放送信号再生装置１によれば、再生早送り又は再生早戻しされるＴＳに複数のテレビ番組が含まれる場合に、これら複数のテレビ番組の映像信号を１画面に合成して出力し、これらテレビ番組を所定倍速で同時に再生早送り又は再生早戻しするようにしたので、ユーザはこれら複数のテレビ番組を同時に確認することができる。従って、ユーザがこれらテレビ番組の視聴したい箇所を見逃す蓋然性が低くなる。
【００２９】
また、１つのテレビ番組の映像信号を親画面５１とし、このテレビ番組以外の映像信号を子画面５２，５３として合成して出力するようにしたので、ユーザは、親画面５１として大きく表示されるテレビ番組の映像を容易に確認することができ、特に、親画面５１として表示されるテレビ番組の視聴したい箇所を見逃し難くなる。
【００３０】
次に、本発明の第２の実施形態について図６を参照して説明する。本実施形態におけるディジタルＴＶ放送信号再生装置１は、ＨＤＤ３１を装置１内に備える点で第１の実施形態と異なる。再生早送り処理及び再生早戻し処理は第１の実施形態と同様の手順で実行される。本実施形態のディジタルＴＶ放送信号再生装置１によれば、ＨＤＤ３１を装置１内に備えるので、チューナ１１で受信したディジタルＴＶ放送信号をＡＴＳＣフロントエンド１２で処理してＴＳを抽出し、抽出したＴＳを装置１内のＨＤＤ３１に記憶することができる。このため、外付けの記憶装置を利用することなく、ＨＤＤ３１に記憶されたＴＳに含まれる複数の番組を所定倍速で同時に再生早送り又は再生早戻しさせることが可能となる。
【００３１】
なお、本発明は上記実施形態の構成に限られることなく種々の変形が可能である。例えば、再生早送り又は再生早戻しの際に行われる映像合成処理（ＰｉｎＰ処理）は、１つのテレビ番組の映像信号を親画面とし、このテレビ番組以外の映像信号を子画面として出力する場合に限られず、例えば、全てのテレビ番組を同じ画像サイズとして出力するようにしてもよい。
【図面の簡単な説明】
【００３２】
【図１】本発明の第１の実施形態に係るディジタルテレビジョン放送信号再生装置の構成を示すブロック図。
【図２】同再生装置の再生早送り処理を示すフローチャート。
【図３】同再生早送り処理時のモニタ画面を示す図。
【図４】同再生早送り処理されるＴＳの説明図。
【図５】（ａ）乃至（ｄ）は図４に示されるＴＳの各領域を再生早送りした際のモニタ画面を示す図であり、（ａ）、（ｂ）（ｃ）及び（ｄ）は、それぞれ領域Ａ、領域Ｂ、領域Ｃ及び領域Ｄを再生早送りした際のモニタ画面を示す図。
【図６】本発明の第２の実施形態に係るディジタルテレビジョン放送信号再生装置の構成を示すブロック図。
【図７】従来例によるディジタルテレビジョン放送信号再生装置における再生早送り処理時のモニタ画面を示す図。
【符号の説明】
【００３３】
１    ディジタルテレビジョン放送信号再生装置
２    モニタ装置
３    ハードディスクドライブ装置
１０  アンテナ
１１  チューナ（受信手段）
１２  ＡＴＳＣフロントエンド（ＴＳ抽出手段）
１３  映像・音声処理部（映像デコーダ、映像合成手段、映像出力手段）
１４  オンスクリーンディスプレイ部
１５  メモリ
１６  ＩＥＥＥ１３９４インタフェース
１７  制御部（制御手段）
３１  ハードディスクドライブ（ＴＳ記憶手段）
【図１】
2005348075.tif 000003
【図２】
2005348075.tif 000004
【図３】
2005348075.tif 000005
【図４】
2005348075.tif 000006
【図５】
2005348075.tif 000007
【図６】
2005348075.tif 000008
【図７】
2005348075.tif 000009